(57)【要約】      （修正有）【課題】サドル本体に容易に着脱可能であり、装着時にはサドル本体と一体となって安定して臀部を支えることができる自転車サドル用滑り止めパッドを提供する。【解決手段】滑り止めパッド１は、着座部に複数の貫通孔が形成されるサドル本体に取付けられる滑り止めパッドであり、サドル本体表面の摩擦係数より大きい柔軟性素材から成り、サドル本体の表面の一部あるいは全体をカバーするものであり、裏面に設けられた突起７ａ、７ｂが前記貫通孔６に挿通され、突起７ａ、７ｂの先端部の周縁に設けられた反し８により、サドル本体の裏面に係止される。滑り止めパッドは、柔軟性素材から成り、突起７ａ、７ｂの先端部の周縁に設けられた反し８によって、サドル本体の裏面に係止されることから、サドル本体に容易に着脱することができる。【選択図】図１
2016097849.tif 000002
【特許請求の範囲】
【請求項１】
着座部に複数の貫通孔が形成されるサドル本体に取付けられる滑り止めパッドであって、
サドル本体表面の摩擦係数より大きい柔軟性素材から成り、サドル本体表面の一部あるいは全体をカバーするものであり、
パッド裏面に設けられた突起が前記貫通孔に挿通され、前記突起の先端部の周縁に設けられた反しにより、前記サドル本体の裏面に係止されることを特徴とする滑り止めパッド。
【請求項２】
前記滑り止めパッドの表面から前記突起の先端部まで貫通する貫通孔が設けられることを特徴とする請求項１に記載の滑り止めパッド。
【請求項３】
前記滑り止めパッドの表面には、滑り止め用突起が設けられることを特徴とする請求項１又は２に記載の滑り止めパッド。
【請求項４】
前記滑り止めパッドの裏面に設けられた前記突起は、前記反しが設けられているものと、前記反しが設けられていないものが、混在することを特徴とする請求項１〜３の何れかに記載の滑り止めパッド。
【請求項５】
前記サドル本体の後方座部の左右の位置に設けられることを特徴とする請求項１〜４の何れかに記載の滑り止めパッド。
【請求項６】
前記滑り止めパッドの周縁部には、前記滑り止めパッド装着の際に、前記サドル本体の表面と前記滑り止めパッドの表面との段差を緩和するための加工が施されていることを特徴とする請求項１〜５の何れかに記載の滑り止めパッド。
【発明の詳細な説明】
【技術分野】
【０００１】
本発明は、着座部に複数の貫通孔が形成されている自転車サドルにおいて、サドル本体に取付ける滑り止めパッドの技術に関するものである。
【背景技術】
【０００２】
従来から、緩衝パッドを用いず、着座部が樹脂ベースで作製された自転車用サドルが知られている（例えば、特許文献１を参照。）。
上記の自転車用サドルでは、緩衝パッドを用いたときに生ずるような、転倒時に破損しやすいとか、雨天時に雨水が染み込む、といった不都合を回避しつつ、柔軟性・快適性と強度・剛性の相反するバランスをとることができるものであった。
しかし、着座部が樹脂ベースで作製されているため、着座時に臀部が滑りやすく、安定した走行が困難であるという問題があった。
【０００３】
一方で、自転車用サドルの表面に滑り止めの効果をもたらすためのものとしては、サドル表面上に弾性変形自在な無数の突起を設けた自転車用サドルが知られている（例えば、特許文献２を参照。）。
上記の自転車用サドルでは、無数の突起で臀部を支えるため、乗員の身体形状に合わせて柔軟に変形し、臀部の滑りを防止し、安定して臀部を支えることが可能である。
しかし、 自転車のライディングスタイルは多種多様であり、中でもとくに過激なエンデューロやダウンヒルでの使用の場合は、滑り止め機能が強く求められるが、平地での走行の場合は、滑り止めの機能は強くは求められない。そうであれば、自転車のライディングスタイルに合わせ、滑り止め機能の使い分けができることが好ましいが、上記の自転車用サドルでは、着脱可能なパッド形状のものとはなっていないため、滑り止め機能の使い分けは不可能である。また、着脱可能なパッド形状のものであっても、装着時にパッドがずれたり剥がれたりすると、安定した走行は困難であるから、装着時には安定してパッドがサドルに固定される必要がある。
【先行技術文献】
【特許文献】
【０００４】
【特許文献１】特開２００４−２１７２０１号公報
【特許文献２】特開２００７−１８６０７５号公報
【発明の概要】
【発明が解決しようとする課題】
【０００５】
上記状況に鑑みて、本発明は、サドル本体に容易に着脱可能であり、装着時にはサドル本体と一体となって安定して臀部を支えることができる自転車サドル用滑り止めパッドを提供することを目的とする。
【課題を解決するための手段】
【０００６】
上記課題を解決すべく、本発明の滑り止めパッドは、着座部に複数の貫通孔が形成されるサドル本体に取付けられる滑り止めパッドであって、サドル本体表面の摩擦係数より大きい柔軟性素材から成り、サドル本体の表面の一部あるいは全体をカバーするものであり、裏面に設けられた突起が前記貫通孔に挿通され、突起の先端部の周縁に設けられた反しにより、サドル本体の裏面に係止される。
本発明の滑り止めパッドをサドル本体表面に装着することで、臀部の滑り止め効果を高め、サドル本体と一体となって安定して臀部を支えることができる。また、滑り止めパッドは、柔軟性素材から成り、突起の先端部の周縁に設けられた反しによって、サドル本体の裏面に係止されることから、サドル本体に容易に着脱することができる。
【０００７】
滑り止めパッドは、サドル本体の表面の一部あるいは全体をカバーすることで、自転車の乗り手の嗜好に応じて、サドル本体の表面の特定の部位の滑り止め効果を高める。例えば、滑り止めパッドが、サドル本体の後方座部の位置のみに設けられる場合、ペダリング時に、臀部の滑りを防止しつつ、太股の動きを円滑にすることができる。
【０００８】
本発明の滑り止めパッドにおいて、パッドの表面から裏面の突起の先端部まで貫通する貫通孔が設けられることでも良い。滑り止めパッドは、お尻に接触する部分であり、そのため柔軟性を要求される部分である。滑り止めパッドに貫通孔を設けることで、柔軟性と通気性を向上することができる。
【０００９】
また、本発明の滑り止めパッドの表面には、滑り止め用突起が設けられることでも良い。滑り止め効果をより高めることができる。滑り止め用突起は、円柱形状、半球状、ヤスリ目状、杉目状など様々な形状のものが適用できる。
本発明の滑り止めパッドの表面に滑り止め用突起が設けられない場合は、滑り止めパッドの表面に、シボ（皺）加工を施して、臀部とサドルの滑りをより防止することでも良い。
【００１０】
本発明の滑り止めパッドの裏面に設けられた突起は、反しが設けられているものと、反しが設けられていないものが混在することでも良い。パッドの裏面の突起の全てに反しが無くとも、サドル本体に安定に取付けることが可能である。例えば、パッドの周縁部の近傍は剥がれやすいので、突起に反しを設けるべきであるが、パッドの中央付近の突起には反しが無くともサドル本体に確実に取り付けることができる。全ての突起に反しがあるとすると、パッドのサドル本体への脱着作業が煩雑になる場合もあるので、ケースバイケースで、反しが設けられているものと、反しが設けられていないものを混在させる。
【００１１】
本発明の滑り止めパッドは、サドル本体の後方座部の左右の位置に設けられることでも良い。滑り止めパッドが後方座部の左右の位置に設けられることで、臀部の滑りを防止し、かつ、後方座部中央部に滑り止めパッドを設けられないことで、乗員のデリケートな部分への負担を軽減する。
【００１２】
本発明の滑り止めパッドの周縁部には、滑り止めパッド装着の際に、サドル本体の表面と滑り止めパッドの表面との段差を緩和するための加工が施されていることでも良い。滑り止めパッドには、突起を除いて、表裏間にある程度の厚みが存在する。そのため、滑り止めパッドをサドル本体の表面に装着した場合に、サドル本体の表面と滑り止めパッドの表面との間に段差ができる。この段差は、乗り手の快適性を損なうことになる。そこで、滑り止めパッドの周縁部の厚みを肉薄にする加工を施して段差を緩和する。
【発明の効果】
【００１３】
本発明の滑り止めパッドによれば、サドル本体に容易に着脱可能であり、装着時にはサドル本体と一体となって安定して臀部を支えることができるといった効果を有する。
【図面の簡単な説明】
【００１４】
【図１】実施例１の滑り止めパッドの斜視図、（１）上方斜視図、（２）下方斜視図
【図２】実施例１の滑り止めパッドと貫通孔を有するサドルの上方斜視図
【図３】実施例１の滑り止めパッドと貫通孔を有するサドルの下方斜視図
【図４】取付け前の滑り止めパッド及びサドル表面の断面図（実施例１）
【図５】取付け作業時の滑り止めパッド及びサドル表面の断面図（実施例１）
【図６】取付け後の滑り止めパッド及びサドル表面の断面図（実施例１）
【図７】取付け前における貫通孔を有するサドルの平面図及び正面図（実施例１）
【図８】取付け後における貫通孔を有するサドルの平面図及び正面図（実施例１）
【図９】取付け前の滑り止めパッド及びサドル表面の断面図（実施例２）
【図１０】取付け作業時の滑り止めパッド及びサドル表面の断面図（実施例２）
【図１１】取付け後の滑り止めパッド及びサドル表面の断面図（実施例２）
【図１２】実施例３の滑り止めパッドの断面図
【図１３】滑り止めパッドを取付けるサドルの例
【発明を実施するための最良の形態】
【００１５】
以下、本発明の実施形態について、図面を参照しながら詳細に説明していく。なお、本発明の範囲は、以下の実施例や図示例に限定されるものではなく、幾多の変更及び変形が可能である。
【実施例１】
【００１６】
図１は、実施例１の滑り止めパッドの斜視図を示している。（１）は上方斜視図、（２）は下方斜視図を示している。図１（１）に示されるように、滑り止めパッド１の上面には、複数の貫通孔６が設けられている。また、図１（２）に示されるように、滑り止めパッド１の裏面には、多数の突起７が設けられており、突起７の中心部には貫通孔６が設けられている。そして、滑り止めパッド１の周縁部に設けられた突起７ａの先端部には反し８が設けられているが、滑り止めパッド１の中央部に設けられた突起７ｂの先端部には反し８が設けられていない。
【００１７】
ここで、反し８は滑り止めパッド１がサドル２から剥がれたりずれたりすることを防止する目的を有しているが、滑り止めパッド１の周縁部とサドルとの固定が十分でないと、滑り止めパッド１がサドル本体から剥がれてしまうことから、滑り止めパッド１の周縁部には反し８を設けている。これに対し、周縁部がしっかりと固定されていれば、中央部は反し８により固定されていなくても剥がれは生じ難いので、突起７ｂの先端部には反し８が設けずとも構わない。もちろん、中央部やパッド全面の全ての突起の先端部に反しを設けても構わない。
【００１８】
滑り止めパッド１の材質としては、シリコンを用いているが、合成ゴム、軟質プラスチックを用いても構わない。滑り止めパッド１は、上記のような柔軟性や弾力性に優れた材質を使用するため、滑り止め効果だけではなく、衝撃を吸収する効果も有する。
このように、柔軟性や弾力性に優れた材質を使用すると、磨耗が生じやすいという欠点があるが、滑り止めパッド１は着脱可能であるので、交換することで、サドル２を長く使用することが可能である。
【００１９】
滑り止めパッド１の厚み（突起を除いた表裏の厚み）は１〜１．５ｍｍ程度が好ましいが、厚くすることで、衝撃吸収性を高めることが可能である。また、滑り止めパッド１の表面には、シボ（皺）加工が施されており、臀部とサドル２の滑りを防止する効果を高めている。
【００２０】
次に、図２及び図３は、実施例１の滑り止めパッドと貫通孔を有するサドルの斜視図を示しており、図２は上方斜視図を、図３は下方斜視図を示している。
図２及び図３に示されるように、滑り止めパッド１は、サドルの後方座部左右（９ａ，９ｂ）に、２枚に分けられて、滑り止めパッド（１ａ，１ｂ）として、取付けられる構造となっている。
サドル２は、フレーム部材３とメッシュ部材４、及びシートポストに取り付けるためのレール部材５とで構成されており、メッシュ部材４には、複数の貫通孔４ａが設けられている。
【００２１】
図４〜６は、実施例１の滑り止めパッド取付け前後及び取付け作業時における滑り止めパッド及びサドル表面の断面図を示している。
図４は、実施例１の滑り止めパッド取付け前の滑り止めパッド及びサドル表面の断面図を示している。図４に示されるように、突起７の中心部には、上下に貫通孔６が設けられている。貫通孔６は、通気性、意匠性を高め、また、着脱時の作業を容易にする。
滑り止めパッド１の裏面に設けられた突起７の先端部には反し８が設けられている。
突起７は、取付けるサドルの座面を形成するメッシュ部材４に設けられた貫通孔４ａに嵌合できるように成形されているため、突起７の径はメッシュ部材４に設けられた貫通孔４ａの径と略同等である。
突起７の先端部には反し８が設けられているため、そのまま貫通孔４ａに差し込むことは困難である。
【００２２】
図５は、実施例１の滑り止めパッド取付け作業時の滑り止めパッド及びサドル表面の断面図を示している。滑り止めパッド１は、柔軟性のあるシリコンを用いており、単一の材質で一体成形されているので、突起７も一時的に変形させることが可能である。
また、突起７の中心部には、上下に貫通孔６が設けられているので、図４に示されるように反し８を外側から中央に向けてつまむと、突起７の先端部の径を、貫通孔４ａの径よりも小さくすることができ、突起７を貫通孔４ａに挿し込むことが可能になる。
【００２３】
図６は、実施例１の滑り止めパッド取付け後の滑り止めパッド及びサドル表面の断面図を示している。図６に示されるように、突起７が貫通孔４ａに挿し込まれ他端まで到達すると、シリコンが用いられた突起７は、自身の弾性力により元の形状に戻り、反し８がメッシュ部材４の裏面に引っ掛った状態となり、滑り止めパッド１がサドル２からずれたり剥がれたりすることを防ぐ。
滑り止めパッド１をサドル２から外す場合は、爪等を用いて、反し８を外側から中央に向けてずらし、貫通孔４ａの中に押し込んだ上で、滑り止めパッド１をサドル２から抜き取れば、容易に外すことができる。
【００２４】
図７は、実施例１の滑り止めパッド取付け前における貫通孔を有するサドルの平面図及び左側面図を示し、図７は、実施例１の滑り止めパッド取付け後における貫通孔を有するサドルの平面図及び左側面図を示している。
図７及び図８に示されるように、滑り止めパッド１はサドル２の後方座部左右（９ａ，９ｂ）に、２枚に分けられて、滑り止めパッド（１ａ，１ｂ）として、取付けられる構造となっており、サドル２の全面に取付けられる構造とはなっていない。
【００２５】
特に、後方座部中央部１０及び前方座部１１には滑り止めパッド１を設けない構造となっている。これは、後方座部中央部１０及び前方座部１１は、人体のデリケートな部位が接触する箇所であるため、滑り止めパッド１が該部位に接触して不快感を生じさせることを防止するためである。
【００２６】
また、走行時に座面の滑りが生じる臀部の左右の位置に限定して滑り止めパッド１を設けることで、走行時のエネルギーロスを減少させ、また、軽量化の実現にも寄与する。
さらに、滑り止めパッド１を取付ける最適な箇所を明確にし、取付範囲を必要最小限に絞っても良い。
【実施例２】
【００２７】
図９〜１１は、それぞれ実施例２の滑り止めパッドの取付け前、取付け作業時、取付け後における、滑り止めパッド及びサドル表面の断面図を示している。
実施例２では、実施例１と異なり、滑り止めパッド１の表面に、貫通孔６は設けられていない。そのため、滑り止めパッド１装着時において、貫通孔６が設けられている場合に比べ、広い面積で、臀部を支えることができるので、より安定性が向上し、滑り止めパッド１の強度も増すことになる。
【実施例３】
【００２８】
図１２は、実施例３の滑り止めパッド取付け後の滑り止めパッド及びサドル表面の断面図を示している。図１２に示されるように、滑り止めパッド１の表面には、多数の半球状の滑り止め用突起１２が設けられている。
滑り止めパッド１の表面に滑り止め用突起１２が設けられることにより、滑り止めの効果がより高くなり、エンデューロやダウンヒルといった滑り止め機能が強く求められる使用に用いることができる。
滑り止め用突起１２は、円柱形状、ヤスリ目状、杉目状のものであっても構わない。
【実施例４】
【００２９】
本実施例では、滑り止めパッド１の表面周縁部には、サドルの表面と滑り止めパッド１の表面との段差を緩和するための加工が施されている。具体的には、滑り止めパッド１の表面周縁部の肉厚を薄く加工することで、サドル２の表面と滑り止めパッドの表面との段差を緩和している。この他、滑り止めパッド１の表面周縁部を丸く加工することで、サドル２の表面と滑り止めパッドの表面との段差を緩和するなどの方法で段差を緩和するものであっても良い。
また、サドル２に予め窪みを設けることで、滑り止めパッド１装着時の、滑り止めパッド１とサドル２との段差を無くすものであっても良い。その場合、滑り止めパッド１を装着しない場合は、別途、滑り止め効果の無い部材を埋め込むものとしても良い。
【００３０】
（その他の実施例）
本発明の滑り止めパッドを使用するサドル本体は、図１３（１）（２）に示すようにサドル（２１，２２）の着座部に少なくとも２つの貫通孔２０が設けられているものであれば良い。また、サドル本体が樹脂のみで構成されるのではなく、樹脂ベースに緩衝パッドと合皮カバーを重ねたものであっても良い。
【産業上の利用可能性】
【００３１】
本発明は、競技用の自転車サドルの滑り止めパッドとして有用である。
【符号の説明】
【００３２】
１  滑り止めパッド
２，２１，２２  サドル
３  フレーム部材
４  メッシュ部材
４ａ，２０  貫通孔
５  レール部材
６  貫通孔
７  突起
８  反し
９ａ，９ｂ  後方座部左右  
１０  後方座部中央部
１１  前方座部
１２  滑り止め突起
【図１】
2016097849.tif 000003
【図２】
2016097849.tif 000004
【図３】
2016097849.tif 000005
【図４】
2016097849.tif 000006
【図５】
2016097849.tif 000007
【図６】
2016097849.tif 000008
【図７】
2016097849.tif 000009
【図８】
2016097849.tif 000010
【図９】
2016097849.tif 000011
【図１０】
2016097849.tif 000012
【図１１】
2016097849.tif 000013
【図１２】
2016097849.tif 000014
【図１３】
2016097849.tif 000015